(57)【要約】【課題】高い接合強度が確保できる枠組の接合構造を提供する。【解決手段】外縁を形成する枠材部１１，１２，１３を備えた枠組１，２同士を、接合枠材部１１，２１の外面同士を対向させて接合する枠組１，２の接合構造である。  そして、対向させる接合枠材部１１，２１間を貫通するボルト孔１１１，２１１を形成するとともに、一方の接合枠材部１１の内面に凹部１１２を設け、ボルト孔１１１，２１１にボルト３を挿入して接合枠材部１１，２１同士を緊結するとともに、対向する接合枠材部２１に貫入される長さの釘材４を凹部１１２から打ち込む。【選択図】図１
2008285868.tif 000002
【特許請求の範囲】
【請求項１】
外縁を形成する枠材部を備えた枠組同士を、前記枠材部の外面同士を対向させて接合する枠組の接合構造であって、
対向させる前記枠材部間を貫通するボルト孔を形成するとともに、一方の前記枠材部の内面に凹部を設け、
前記ボルト孔にボルトを挿入して前記枠材部同士を緊結するとともに、対向する枠材部に貫入される長さの釘材を前記凹部から打ち込むことを特徴とする枠組の接合構造。
【請求項２】
外縁を形成する枠材部を備えた枠組の少なくとも一面を面材で塞いだパネルであって、
前記枠材部を貫通するボルト孔と、そのボルト孔の周辺の前記枠材部の内面に形成される凹部とを備えたことを特徴とするパネル。
【発明の詳細な説明】
【技術分野】
【０００１】
本発明は、ユニット建物の建物ユニットを構成する床パネルや壁パネルなどにおいて、その外縁を形成する枠組同士を接合する際の枠組の接合構造、及びそれに使用するパネルに関するものである。
【背景技術】
【０００２】
従来、工場で製作された複数の建物ユニットを縦、横に積み重ね、基礎と建物ユニットをアンカーボルトで連結して構築するユニット建物が知られている。この建物ユニットには、壁パネルと床パネルとによって直方体を構成するパネルタイプのものがあり、隣接するパネル同士は、パネルの外縁となる枠組を介して接合される（特許文献１，２など参照）。
【０００３】
このパネル同士の接合構造は、例えば図５に示すように、建物ユニットの床パネル９０にバルコニーの床を形成する床パネル８０を隣接させて、ボルト３，３と釘材４，４とによって接合する構造である。
【０００４】
すなわち、バルコニーの床パネル８０の外縁を形成する枠組８には、隣接する床パネル９０と接合をおこなう枠材部８１が配設されており、この枠材部８１は、内面側枠材８１ａと中間枠材８１ｂと外面側枠材８１ｃの３本を重ねて構成されている。
【０００５】
また、もう一方の床パネル９０は、建物内部の床面を形成するパネルで、その外縁を形成する枠組９の枠材部９１は、外面側枠材９１ａと板材９１ｂと床梁９１ｃとによって構成されており、その枠材部９１の上方に壁パネル６が立設されている。
【０００６】
そして、この床パネル９０と床パネル８０との間には、壁パネル６の外壁面材６１とスペーサ材５とが挟まれた状態で、ボルト３，３を貫通させて双方の枠材部８１，９１同士を緊結するとともに、床パネル８０の内面側から枠材部８１に打ち込んだ釘材４，４の先端を、対向する枠材部９１の外面側枠材９１ａに貫入させて床パネル８０，９０同士の接合をおこなっている。
【特許文献１】特開平７−７６８８３号公報
【特許文献２】特開２００１−９８６４０号公報
【発明の開示】
【発明が解決しようとする課題】
【０００７】
しかしながら、図５で説明した従来の枠組８，９の接合構造では、ボルト３と釘材４とを併用して接合しているが、釘材４を打ち込む側の枠材部８１の厚さが厚すぎると、釘材４の先端が対向する枠材部９１に充分に貫入されず、接合強度が低くなるおそれがある。
【０００８】
そこで、本発明は、高い接合強度が確保できる枠組の接合構造、及びそれに使用するパネルを提供することを目的としている。
【課題を解決するための手段】
【０００９】
前記目的を達成するために、本発明の枠組の接合構造は、外縁を形成する枠材部を備えた枠組同士を、前記枠材部の外面同士を対向させて接合する枠組の接合構造であって、対向させる前記枠材部間を貫通するボルト孔を形成するとともに、一方の前記枠材部の内面に凹部を設け、前記ボルト孔にボルトを挿入して前記枠材部同士を緊結するとともに、対向する枠材部に貫入される長さの釘材を前記凹部から打ち込むことを特徴とする。
【００１０】
また、本発明のパネルは、外縁を形成する枠材部を備えた枠組の少なくとも一面を面材で塞いだパネルであって、前記枠材部を貫通するボルト孔と、そのボルト孔の周辺の前記枠材部の内面に形成される凹部とを備えたことを特徴とする。
【発明の効果】
【００１１】
このように構成された本発明の枠組の接合構造は、接合する枠組の枠材部にボルト孔が形成されるとともに、その枠材部の内面に凹部が設けられている。
【００１２】
このため、枠組同士を接合する際に、ボルト孔に通したボルトによって両者を緊結できるうえに、凹部から打ち込んだ釘材の先端を対向する枠材部に充分に貫入させることができるので、高い接合強度を確保できる。
【００１３】
また、工場で製作されるパネルの枠組の枠材部に、ボルト孔と凹部とを予め設けておけば、建築現場でパネル同士を接合する際にも、容易に両者を接合することができる。
【発明を実施するための最良の形態】
【００１４】
以下、本発明の最良の実施の形態について図面を参照して説明する。
【００１５】
図１は、本実施の形態の枠組の接合構造としてパネル１０，２０同士の接合構造の構成を示した図で、図２は、この接合構造を設けるユニット建物７０の構成を説明する分解斜視図である。
【００１６】
まず、図２を参照しながらユニット建物７０の構成から説明すると、このようなユニット建物７０は、工場で製作される１階建物ユニット７２、２階建物ユニット７３、屋根ユニット７４及びバルコニーユニット１００などを現場で接合することによって構築される。
【００１７】
すなわち、建築現場では、まずコンクリートを打設して基礎部７１を構築し、その基礎部７１の上に工場から搬送されてきた１階ユニット７２をクレーンで吊り上げて設置し、さらにその上に２階ユニット７３及びバルコニーユニット１００を設置し、２階ユニット７３の上には屋根ユニット７４を載せてユニット建物７０とする。
【００１８】
このバルコニーユニット１００は、排水勾配で形成された防水床を備えたパネルとしての床パネル１０と、床パネル１０の３辺に立設される手摺壁１０１とを備えている。
【００１９】
この床パネル１０は、図３に示すように平面視矩形に形成されるもので、長方形状にパネルの外縁を形成する枠組１と、その枠組１の短辺方向に架け渡される複数の床根太１４，・・・と、その枠組１及び床根太１４，・・・の上面に面材として張り付けられる床面材１５とを備えている。
【００２０】
この枠組１は、長辺側の対向する枠材部としての接合枠材部１１及び端根太１２と、短辺側の枠材部としての側根太１３，１３とを、直角に交わるように端部同士を釘で接合することによって製作される。
【００２１】
また、この枠組１の枠材部１１，１２，１３は、ツーバイフォー材、ツーバイシックス材、構造用合成木材等を複数重ねて構成されている。
【００２２】
ここで、接合枠材部１１の詳細について図１を参照しながら説明すると、この接合枠材部１１は、内面側枠材１１ａと、中間枠材１１ｂと、外面側枠材１１ｃとを重ねて形成されている。
【００２３】
この接合枠材部１１には、内面側から外面側の部材厚さ方向に貫通するボルト孔１１１，１１１が、高さ方向に間隔を置いて設けられている。また、図１と、図１のＡ−Ａ線方向から見た側面図である図４に示すように、このボルト孔１１１，１１１の周辺には４つの凹部１１２，・・・が設けられている。
【００２４】
この凹部１１２は、内面側枠材１１ａを厚さ方向に貫通する円柱状の孔で、この凹部１１２を通して中間枠材１１ｂの表面が内面側に露出することになる。
【００２５】
また、床面材１５にはパーチクルボード、構造用合板等が使用される。
【００２６】
一方、床パネル１０を接合する建物内部側の床パネル２０は、床パネル１０と同様に長方形状にパネルの外縁を形成する枠組２と、その枠組２の上面に張り付けられる床面材２２とを備えている。
【００２７】
この枠組２の枠材部としての床パネル１０側の接合枠材部２１は、図１に示すように外面側枠材２１ａと、板材２１ｂと、床梁２１ｃとを重ねて形成される。また、この床梁２１ｃは、外面側枠材２１ａを３枚重ねたのと同程度の厚さを備えた梁材である。
【００２８】
そして、この接合枠材部２１には、部材厚さ方向に貫通するボルト孔２１１，２１１が、対向する接合枠材部１１に設けたボルト孔１１１，１１１と対峙する位置に設けられている。
【００２９】
また、床面材２２は、パーチクルボード、構造用合板等によって形成され、その床面材２２上には壁パネル６が立設される。この壁パネル６は、床パネル２０と同様に枠組に面材を張り付けて構成されるもので、床パネル１０側には硬質木片セメント板などによって形成される外壁面材６１が張り付けられている。
【００３０】
また、この外壁面材６１の下部は、床パネル２０の接合枠材部２１の外面を覆うように下方に向けて延設されている。
【００３１】
そして、接合される床パネル２０と床パネル１０との間には、図１に示すように、外壁面材６１の下部とスペーサ材５とが介在されている。このスペーサ材５は、図４に示すように長方形の板材で、このスペーサ材５と外壁面材６１にも、ボルト３を挿入するための貫通孔が形成されている。
【００３２】
すなわち、床パネル１０側からボルト孔１１１に挿入されたボルト３は、スペーサ材５と外壁面材６１の貫通孔を通って床パネル２０のボルト孔２１１から先端が突出される。このボルト３の頭部には、座金３２を配置し、接合枠材部２１から突出したボルト３の先端には、ナット３１を締め付けて枠組１と枠組２とを緊結する。
【００３３】
また、図４に示すように、このボルト３，３の周辺には、４個の凹部１１２，・・・が設けられている。例えば、スペーサ材５が高さ200mm、幅310mmとすると、その幅方向の中央に高さ方向に間隔を置いて２本のボルト３，３が挿入され、そのボルト３，３の中心から幅方向の左右にそれぞれ110mmの間隔を置いた位置を中心とする凹部１１２，・・・が形成される。さらに、凹部１１２，・・・は、内面側枠材１１ａの上縁及び下縁からそれぞれ50mm程度内側に入った位置に中心が位置するように形成される。
【００３４】
この凹部１１２は、直径40mm程度の円柱状の孔で、金槌や釘打ち機で釘材４を打ち込むのに支障とならない大きさに形成されている。また、内面側枠材１１ａが凹部１１２，・・・を設けたことによって欠損する量も僅かであるため、構造性能が低下することはない。
【００３５】
そして、この凹部１１２，・・・の中心に打ち込む釘材４は、図１に示すように、頭部が中間枠材１１ｂの表面まで打ち込まれた状態で、先端が接合枠材部２１の外面側枠材２１ａを突き抜けて板材２１ｂに到達する長さのものが使用される。
【００３６】
次に、本実施の形態の枠組の接合構造の作用について説明する。
【００３７】
このようにして構成された本実施の形態の枠組１，２の接合構造は、接合する枠組１，２の接合枠材部１１，２１にボルト孔１１１，２１１が形成されるとともに、そのボルト孔１１１の周辺の接合枠材部１１の内面側枠材１１ａに複数の凹部１１２，・・・が設けられている。
【００３８】
このため、枠組１，２同士を接合する際に、ボルト孔１１１，２１１に通したボルト３によって両者を緊結できるうえに、凹部１１２から打ち込んだ釘材４の先端を対向する接合枠材部２１に充分貫入させて高い接合強度を確保できる。
【００３９】
すなわち、床パネル１０の強度を上げるために接合枠材部１１の厚さを増加させると、釘材４の大部分が接合枠材部１１に埋没してしまい、接合する床パネル２０側に突出する長さが短くなって釘材４による接合が充分におこなえなくなるおそれがある。
【００４０】
これに対して接合枠材部１１の内面となる内面側枠材１１ａに凹部１１２を設けることで、釘材４の頭部を板材１１ｂまで打ち込むことができるようになり、その分だけ釘材４の先端を対向する接合枠材部２１側に突出させることができるようになる。
【００４１】
この結果、接合枠材部２１への釘材４の打ち込み長さが確保されて、釘材４による接合強度を充分な強度にすることができる。
【００４２】
また、工場で製作される床パネル１０の枠組１の接合枠材部１１に、ボルト孔１１１と凹部１１２とを予め設けておけば、建築現場で床パネル１０，２０同士を接合する際にも容易に両者を接合することができる。
【００４３】
さらに、釘材４を打ち込む個所に予め凹部１１２を設けておくことで、釘材４を打ち込む位置が容易に把握でき、施工効率が向上する。また、凹部１１２に釘材４が打ち込まれていなければ、釘材４の打ち忘れであると認識できるので、施工管理が容易になる。
【００４４】
以上、図面を参照して、本発明の最良の実施の形態を詳述してきたが、具体的な構成は、この実施の形態に限らず、本発明の要旨を逸脱しない程度の設計的変更は、本発明に含まれる。
【００４５】
例えば、前記実施の形態では、３本の枠材１１ａ，１１ｂ，１１ｃを重ねて接合枠材部１１を形成したが、これに限定されるものではなく、枠材部を構成する枠材の本数及び厚さは任意に設定することができる。
【００４６】
また、前記実施の形態では、接合枠材部１１の内面側枠材１１ａを貫通する孔を凹部１１２としたが、これに限定されるものではなく、接合側枠材部１１の内面を窪ませたものであれば、それを構成する一部の枠材を貫通させた貫通孔でなくてもよい。
【００４７】
さらに、前記実施の形態では、床パネル１０，２０同士を接合する場合について説明したが、これに限定されるものではなく、例えば壁パネル同士を接合するものであってもよい。また、面材を張り付けていない枠組同士を接合する場合にも本発明を適用できる。
【図面の簡単な説明】
【００４８】
【図１】本発明の最良の実施の形態の枠組の接合構造の構成を説明する詳細断面図である。
【図２】ユニット建物の構成を説明する分解斜視図である。
【図３】床パネルの構成を説明する一部切断斜視図である。
【図４】図１のＡ−Ａ線方向から見た側面図である。
【図５】従来の枠組の接合構造の構成を説明する詳細断面図である。
【符号の説明】
【００４９】
１０          床パネル（パネル）
１            枠組
１１          接合枠材部（枠材部）
１１ａ        内面側枠材（内面）
１１１        ボルト孔
１１２        凹部
１５          床面材（面材）
２０          床パネル（パネル）
２            枠組
２１          接合枠材部（枠材部）
２１１        ボルト孔
３            ボルト
４            釘材
【図１】
2008285868.tif 000003
【図２】
2008285868.tif 000004
【図３】
2008285868.tif 000005
【図４】
2008285868.tif 000006
【図５】
2008285868.tif 000007